(57)【要約】【課題】  携帯電話端末装置が持つ機能に対し遠隔から容易に操作可能とする携帯電話端末装置を提供する。【解決手段】  携帯電話端末装置１０の制御部１２では、外部からのリモート接続機能を有するＯＳ１３が動作している。ＯＳとしては、例えばＬＩＮＵＸなどがある。端末装置２０は、携帯電話端末装置１０にリモートアクセスし、携帯電話端末装置１０内でＯＳ１３の元で動作している高機能なシェルを使用することで操作を行う。携帯電話端末装置１０には予め、ユーザデータ記憶部１４に記憶されているユーザデータをサーバ装置３０へ送信するためのプログラム、携帯電話端末装置１０からユーザデータを削除するためのプログラム、操作ロック部１５、ＧＰＳ部１６やカメラ部１７を動作させるプログラム等が用意されており、端末装置２０からこれらプログラムを起動するだけで簡単に各部の動作が実行される。【選択図】  図１
2005277764.tif 000002
【特許請求の範囲】
【請求項１】
外部とのデータ通信を行う送受信部と、
前記送受信部で受信した外部の端末装置からのリモートアクセス要求に対し、前記端末装置にアクセス権があるか否かを判断し、アクセス権がある場合には、前記端末装置からの起動要求に応じて周辺部の起動を行う制御部と、
前記制御部によって起動される前記周辺部と、
を備えることを特徴とする携帯電話端末装置。
【請求項２】
前記周辺部は、前記携帯電話端末装置内のユーザデータを記憶する機能を含み、前記制御部によって起動される場合には前記起動要求の内容に応じて、前記ユーザデータを前記制御部に渡し、前記制御部は、前記ユーザデータを送受信部を介して所定の外部装置又は前記端末装置の少なくとも一方に送信するように構成されることを特徴とする請求項１記載の携帯電話端末装置。
【請求項３】
前記周辺部は、前記携帯電話端末装置内のユーザデータを記憶する機能を含み、前記制御部によって起動される場合には前記起動要求の内容に応じて、前記ユーザデータを消去することを特徴とする請求項１記載の携帯電話端末装置。
【請求項４】
前記周辺部は、前記携帯電話端末装置の入力部による操作を不可能とする機能を含み、前記制御部によって起動される場合には前記起動要求の内容に応じて、前記入力部による操作を不可能とすることを特徴とする請求項１記載の携帯電話端末装置。
【請求項５】
前記周辺部は、前記携帯電話端末装置のＧＰＳによる所在位置情報を取得する機能を含み、前記制御部によって起動される場合には前記起動要求の内容に応じて、前記所在位置情報を取得して前記制御部に渡し、前記制御部は、前記所在位置情報を送受信部を介して前記端末装置に送信するように構成されることを特徴とする請求項１記載の携帯電話端末装置。
【請求項６】
前記周辺部は、前記携帯電話端末装置において外部の画像を撮像して画像情報を取得する機能を含み、前記制御部によって起動される場合には前記起動要求の内容に応じて、前記画像情報を取得して前記制御部に渡し、前記制御部は、前記画像情報を送受信部を介して前記端末装置に送信するように構成されることを特徴とする請求項１記載の携帯電話端末装置。
【請求項７】
前記制御部は、前記端末装置からのリモートアクセス要求を処理するＯＳを備えることを特徴とする請求項１記載の携帯電話端末装置。
【請求項８】
携帯電話端末装置が遠隔から操作される方法であって、
外部の端末装置からのリモートアクセス要求を受信するステップと、
前記端末装置にアクセス権があるか否かを判断するステップと、
前記アクセス権がある場合には、前記端末装置と接続するステップと、
前記端末装置からの起動要求を受信するステップと、
前記起動要求の内容に応じて所定の処理を行うステップと、
を含むことを特徴とする遠隔操作方法。
【請求項９】
前記起動要求の内容が前記携帯電話端末装置内に記憶されているユーザデータのバックアップである場合には、前記所定の処理は、前記ユーザデータを所定の外部装置又は前記端末装置の少なくとも一方に送信する処理を含むことを特徴とする請求項８記載の遠隔操作方法。
【請求項１０】
前記起動要求の内容が前記携帯電話端末装置内に記憶されているユーザデータの消去である場合には、前記所定の処理は、前記ユーザデータを消去する処理を含むことを特徴とする請求項８記載の遠隔操作方法。
【請求項１１】
前記起動要求の内容が前記携帯電話端末装置の入力操作のロックである場合には、前記所定の処理は、前記携帯電話端末装置における入力操作を不可能とする処理を含むことを特徴とする請求項８記載の遠隔操作方法。
【請求項１２】
前記起動要求の内容が前記携帯電話端末装置の所在位置情報の取得である場合には、前記所定の処理は、前記携帯電話端末装置内に備えられたＧＰＳ部により前記所在位置情報を取得し、取得した前記所在位置情報を前記端末装置に送信する処理を含むことを特徴とする請求項８記載の遠隔操作方法。
【請求項１３】
前記起動要求の内容が前記携帯電話端末装置における画像情報の取得である場合には、前記所定の処理は、前記携帯電話端末装置内に備えられたカメラ部により外部の画像を撮像して画像情報を取得し、取得した前記画像情報を前記端末装置に送信する処理を含むことを特徴とする請求項８記載の遠隔操作方法。
【請求項１４】
携帯電話端末装置を構成するコンピュータに、
外部の端末装置からのリモートアクセス要求を受信する処理と、
前記端末装置にアクセス権があるか否かを判断する処理と、
前記アクセス権がある場合には、前記端末装置と接続する処理と、
前記端末装置からの起動要求を受信する処理と、
前記起動要求の内容に応じて所定の処理と、
を実行させるプログラム。
【請求項１５】
請求項１４記載のプログラムにおいて、
前記起動要求の内容が前記携帯電話端末装置内に記憶されているユーザデータのバックアップである場合には、前記ユーザデータを所定の外部装置又は前記端末装置の少なくとも一方に送信する処理を、
前記コンピュータに実行させるプログラム。
【請求項１６】
請求項１４記載のプログラムにおいて、
前記起動要求の内容が前記携帯電話端末装置内に記憶されているユーザデータの消去である場合には、前記ユーザデータを消去する処理を、
前記コンピュータに実行させるプログラム。
【請求項１７】
請求項１４記載のプログラムにおいて、
前記起動要求の内容が前記携帯電話端末装置の入力操作のロックである場合には、前記携帯電話端末装置における入力操作を不可能とする処理を、
前記コンピュータに実行させるプログラム。
【請求項１８】
請求項１４記載のプログラムにおいて、
前記起動要求の内容が前記携帯電話端末装置の所在位置情報の取得である場合には、ＧＰＳ部により前記所在位置情報を取得する処理と、
取得した前記所在位置情報を前記端末装置に送信する処理とを、
前記コンピュータに実行させるプログラム。
【請求項１９】
請求項１４記載のプログラムにおいて、
前記起動要求の内容が前記携帯電話端末装置における画像情報の取得である場合には、カメラ部により外部の画像を撮像して画像情報を取得する処理と、
取得した前記画像情報を前記端末装置に送信する処理とを、
前記コンピュータに実行させるプログラム。
【発明の詳細な説明】
【技術分野】
【０００１】
本発明は、携帯電話端末装置及び遠隔操作方法並びにプログラムに関する。
【背景技術】
【０００２】
携帯電話の普及に伴い、携帯電話端末において多種多様のサービスを受けることが可能になっている。それに伴い、携帯電話端末に格納される個人情報（例えば、電話帳、クレジットカード情報、社員証情報、電車の定期の情報等）は、増加する一方であり、携帯電話端末を紛失した場合や盗難に遭ってしまった場合の危険性が非常に高くなってきている。このような場合に、個人情報を他の装置にバックアップし、また情報の閲覧や端末の操作をロックする技術が知られている。
【０００３】
例えば、特許文献１には、盗難や紛失した携帯型通信機器の発信規制を不正所有者の応答を求めたり交換局に発信拒絶を依頼することなく確実に実行することができ、また、個人データの閲覧防止を不正所有者の応答を求めることなく実行できる携帯型通信機器が開示されている。また、特許文献２には、携帯通信端末の日常の使いやすさを阻害せず、携帯通信端末の紛失、盗難時においても、携帯通信端末に記憶された個人登録情報のバックアップが容易に行えるバックアップサービス提供方法が開示されている。
【０００４】
さらに、特許文献３には、操作ロック、情報記録媒体ロックの操作を許容し、認証手段を強化することにより、紛失あるいは盗難された時に第三者による悪用を防止するとともに、通常利用時に、ユーザ以外の第三者によりリモートからの操作ロック、情報記録媒体ロックを行う悪戯を防止する移動通信端末が開示されている。またさらに、特許文献４には、携帯通信端末を紛失した後であっても、携帯通信端末の使用の制限や携帯通信端末に記憶された情報の閲覧を不可とすることを可能とする携帯通信端末が開示されている。
【０００５】
一方、最近の携帯電話端末には多くの機能が搭載されてきている。例えば、位置情報を捉えるＧＰＳ（global positioning system）機能やカメラの機能を備える端末も存在する。ＧＰＳ機能は、携帯電話端末を持つユーザが地図上のどの位置に現在いるのかを判断するのに役立つ。また、カメラの機能は、撮影した画像をメール等で送ることもできる。
【０００６】
【特許文献１】特開２００３−３２３５４号公報  （図３）
【特許文献２】特開２００２−５１３７７号公報  （図１）
【特許文献３】特開２００３−７００６４号公報  （図３）
【特許文献４】特開２００３−３１９４５３号公報  （図５）
【発明の開示】
【発明が解決しようとする課題】
【０００７】
従来、携帯電話端末を紛失した場合や盗難に遭ってしまった場合に、個人情報をバックアップし、情報の閲覧や端末の操作をロックする技術が知られている。しかしながら、紛失後や盗難後の携帯電話端末の状況を把握することは困難である。すなわち、携帯電話端末が現在どのような状況にあるのかを、遠隔から簡単には知ることができない。
【０００８】
本発明の目的は、携帯電話端末装置が持つ機能に対し遠隔から容易に操作可能とする携帯電話端末装置及びその遠隔操作方法並びにプログラムを提供することである。
【課題を解決するための手段】
【０００９】
前記目的を達成するために、本発明の携帯電話端末装置は、第１のアスペクトによれば、外部とのデータ通信を行う送受信部と、送受信部で受信した外部の端末装置からのリモートアクセス要求に対し、端末装置にアクセス権があるか否かを判断し、アクセス権がある場合には、端末装置からの起動要求に応じて周辺部の起動を行う制御部と、制御部によって起動される周辺部と、を備える。
【００１０】
本発明において、好ましくは、周辺部は、携帯電話端末装置内のユーザデータを記憶する機能を含み、制御部によって起動される場合には起動要求の内容に応じて、ユーザデータを制御部に渡し、制御部は、ユーザデータを送受信部を介して所定の外部装置又は端末装置の少なくとも一方に送信してもよい。
【００１１】
また、本発明において、好ましくは、周辺部は、携帯電話端末装置内のユーザデータを記憶する機能を含み、制御部によって起動される場合には起動要求の内容に応じて、ユーザデータを消去してもよい。
【００１２】
さらに、本発明において、好ましくは、周辺部は、携帯電話端末装置の入力部による操作を不可能とする機能を含み、制御部によって起動される場合には起動要求の内容に応じて、入力部による操作を不可能としてもよい。
【００１３】
また、本発明において、好ましくは、周辺部は、携帯電話端末装置のＧＰＳによる所在位置情報を取得する機能を含み、制御部によって起動される場合には起動要求の内容に応じて、所在位置情報を取得して制御部に渡し、制御部は、所在位置情報を送受信部を介して端末装置に送信してもよい。
【００１４】
さらに、本発明において、好ましくは、周辺部は、携帯電話端末装置において外部の画像を撮像して画像情報を取得する機能を含み、制御部によって起動される場合には起動要求の内容に応じて、画像情報を取得して制御部に渡し、制御部は、画像情報を送受信部を介して端末装置に送信してもよい。
【００１５】
また、本発明の遠隔操作方法は、第２のアスペクトによれば、携帯電話端末装置が遠隔から操作される方法である。この方法は、外部の端末装置からのリモートアクセス要求を受信するステップと、端末装置にアクセス権があるか否かを判断するステップと、を含む。アクセス権がある場合には、端末装置と接続するステップと、端末装置からの起動要求を受信するステップと、起動要求の内容に応じて所定の処理を行うステップと、を含む。
【００１６】
さらに、本発明のプログラムは、第３のアスペクトによれば、携帯電話端末装置を構成するコンピュータに、外部の端末装置からのリモートアクセス要求を受信する処理と、端末装置にアクセス権があるか否かを判断する処理と、を実行する。また、アクセス権がある場合には、端末装置と接続する処理と、端末装置からの起動要求を受信する処理と、起動要求の内容に応じて所定の処理と、を実行する。
【発明の効果】
【００１７】
本発明によれば、携帯電話端末装置にリモートアクセスを可能とするＯＳを搭載することで、携帯電話端末が持つ機能に対し遠隔から操作可能とすることができる。したがって、携帯電話端末装置を紛失した場合や盗難に遭ってしまった場合に、個人情報をバックアップして個人情報を消去し、情報の閲覧や端末の操作をロックすると共に、紛失後や盗難後の携帯電話端末装置の状況を遠隔から容易に知ることができる。
【発明を実施するための最良の形態】
【００１８】
図１は、本発明の実施形態に係る通信システムの構成を示すブロック図である。図１において、通信システムは、携帯電話端末装置１０、端末装置２０、ネットワーク２２、無線基地局装置２４、記憶部３５を含むサーバ装置３０を備える。ネットワーク２２は、インターネット等のネットワークから構成され、携帯電話端末装置１０、端末装置２０、無線基地局装置２４、サーバ装置３０を互いに接続する。また、携帯電話端末装置１０は、無線基地局装置２４と無線回線２６を介して接続される。
【００１９】
携帯電話端末装置１０は、送受信部１１、制御部１２、ＯＳ（operating system）１３、ユーザデータ記憶部１４、操作ロック部１５、ＧＰＳ部１６、カメラ部１７、入力部１８を備える。送受信部１１は、無線基地局装置２４と無線回線２６を介して音声通信、データ通信を行うための信号の送受信を行う。制御部１２は、ＯＳ１３で動作するプロセッサを内蔵し、携帯電話端末装置１０の各部の動作制御を実行する。また、ＯＳ１３は、外部からのリモート接続要求に対応する機能を備えるものである。
【００２０】
ユーザデータ記憶部１４は、携帯電話端末装置１０における個人情報等のユーザデータを記憶する。操作ロック部１５は、携帯電話端末装置１０における入力部１８等による操作をロックし、ユーザによる発信やユーザデータの閲覧等を不可能とする。また、ＧＰＳ部１６は、全地球測位システムのサービスを受けるもので、所定の人工衛星との距離を計測することで、携帯電話端末装置１０の３次元的な位置情報を取得する。さらに、カメラ部１７は、携帯電話端末装置１０に付けられたレンズを介して外界の光をＣＣＤ等に取り込んで光電変換して外部画像を取得する。
【００２１】
携帯電話端末装置１０は、以上のように構成され、外部の端末装置２０からのリモートアクセス要求を送受信部１１で受信し、制御部１２は、受信した内容を解読して、端末装置２０に携帯電話端末装置１０へのアクセス権があるか否かを判断する。制御部１２は、アクセス権があると判断した場合には、端末装置２０と接続し、端末装置２０からの起動要求を受信する。さらに、起動要求の内容に応じて、ユーザデータ記憶部１４、操作ロック部１５、ＧＰＳ部１６、カメラ部１７等の周辺部の起動を行う。
【００２２】
ユーザデータ記憶部１４が制御部１２によって起動され、起動要求の内容がバックアップである場合には、ユーザデータ記憶部１４内にあるユーザデータを制御部１２に渡し、制御部１２は、ユーザデータを送受信部１１を介してサーバ装置３０又は端末装置２０の少なくとも一方に送信する。送信されたユーザデータを、サーバ装置３０又は端末装置２０において記憶することで、ユーザデータのバックアップを行うことができる。
【００２３】
また、ユーザデータ記憶部１４が制御部１２によって起動され、起動要求の内容がユーザデータの消去である場合には、ユーザデータ記憶部１４は、ユーザデータを消去する。
【００２４】
さらに、操作ロック部１５が制御部１２によって起動され、起動要求の内容が操作ロックである場合には、操作ロック部１５は、入力部１８による携帯電話端末装置１０の操作を不可能とする。なお、操作ロック部１５は、制御部１２の一機能として実現されてもよい。
【００２５】
また、ＧＰＳ部１６が制御部１２によって起動される場合には、起動要求の内容に応じて、ＧＰＳ部１６は、携帯電話端末装置１０の所在位置情報を取得して制御部１２に渡し、制御部１２は、所在位置情報を送受信部１１を介して端末装置２０に送信する。
【００２６】
さらに、カメラ部１７が制御部１２によって起動される場合には、起動要求の内容に応じて、カメラ部１７は、外部画像を撮像して制御部１２に渡し、制御部１２は、画像情報を送受信部１１を介して端末装置２０に送信する。
【００２７】
以上のように通信システムは構成され、携帯電話端末装置１０は、ユーザデータのバックアップ、ユーザデータの削除、端末装置の操作ロック、端末装置の位置の把握、カメラでの撮像等の携帯電話端末装置が持つ機能を端末装置２０から遠隔で操作することができる。
【実施例１】
【００２８】
次に、本発明の実施例についてさらに詳細に説明する。図１において、携帯電話端末装置１０の制御部１２では、外部からのリモート接続機能を有するＯＳ１３が動作している。ＯＳとしては、例えばＬＩＮＵＸなどがある。端末装置２０は、携帯電話端末装置１０にリモートアクセスし、携帯電話端末装置１０内でＯＳ１３の元で動作している高機能なシェルを使用することで操作を行う。携帯電話端末装置１０には予め、ユーザデータ記憶部１４に記憶されているユーザデータをサーバ装置３０へ送信するためのプログラム、携帯電話端末装置１０からユーザデータを削除するためのプログラム、操作ロック部１５、ＧＰＳ部１６やカメラ部１７を動作させるプログラム等が用意されており、端末装置２０からこれらプログラムを起動するだけで簡単に各部の動作が実行されるようになっている。
【００２９】
なお、携帯電話端末装置１０は、サーバ装置３０にユーザデータをアップロードする過程が存在するため、携帯電話端末装置１０は、無線ＬＡＮ（WLAN）による高速インターネットが可能な端末であることが望ましい。また、携帯電話端末装置１０は、インターネットに接続できる環境にあることが前提であるため、無線回線２６は、WLANによるインターネット接続以外に、従来の携帯電話のインターネット接続方法も提供しているものとする。
【００３０】
携帯電話端末装置１０は、通信事業者のサーバを経由してインターネット等のネットワーク２２へ接続する手段（通常の携帯電話端末装置と同様の機能）に加え、無線LANにてインターネット２２へアクセスする手段を備えていてもよい。また、携帯電話端末装置１０内部のユーザデータをＳＳＨ（secure shell）等のプロトコルにより暗号化してサーバ装置３０又は端末装置２０へ送信する機能と、携帯機内部のユーザデータを削除する機能を備えている。携帯電話端末装置１０は、ＳＳＨ等を使って外部の端末装置２０からリモートログインできる機能を有する高機能なＯＳで動作している。携帯電話端末装置１０は、リモートログイン用のデーモンが動作しており、端末装置２０からリモートアクセス要求が来た場合、リモートアクセスが許可された端末装置であるかをチェックし、アクセスが許可された端末装置である場合、所定のポートを開いて端末装置２０と接続する。
【００３１】
なお、WLANは、ホットスポットとして駅や街角などでインターネットに接続ができるサービスが提供される場所であり、WLANのアクセスポイントが設置され、ワイヤレスで高速インターネットが可能となっている。
【００３２】
サーバ装置３０は、バックアップサーバとして機能し、携帯電話端末装置１０から送信されるユーザデータを受信する機能、および受信した暗号化したデータを解読する機能を持ち、また記憶部３５は、ユーザデータを保存する。
【００３３】
端末装置２０は、インターネット等のネットワーク２２に接続され、携帯電話端末装置１０へのリモートログインを許可された端末である。リモート接続後は、端末装置２０におけるコンソール等の入力により携帯電話端末装置１０内の高機能なシェルが提供するコマンドを使用できるようになる。
【００３４】
次に、携帯電話端末装置１０のユーザデータのバックアップおよびユーザデータの削除についての通信シーケンスを説明する。図２は、本発明の第１の実施例に係る携帯電話端末装置の通信シーケンスを表す図である。
【００３５】
携帯電話端末装置１０は、端末装置２０からリモート接続できるようにネットワーク２２へ接続して待ち受け状態となっている。携帯電話端末装置１０がホットスポット内に存在する場合、WLANの機能を使用してネットワーク２２へ接続し、それ以外の場合は通常の方法でネットワーク２２へ接続する。WLANを優先する理由は、データをより高速にサーバ装置３０へ送信できるためである。ネットワーク２２に接続した状態で、携帯電話端末装置１０は、端末装置２０からのリモート接続要求を待つ（ステップＳ１１）。また、サーバ装置３０は、ネットワーク２２に接続した状態で、携帯電話端末装置１０からのアクセスを待つ（ステップＳ１２）。
【００３６】
端末装置２０は、携帯電話端末装置１０に付けられた固定ＩＰ(internet protocol)アドレスに対してSSH等を使用してリモート接続を試みる（ステップＳ１３）。端末装置２０からリモート接続の要求を受けた携帯電話端末装置１０は、端末装置２０のアクセス権をチェックし（ステップＳ１４）、アクセス権が存在する場合には、端末装置２０とセッションを張る（ステップＳ１５）。この時点で、端末装置２０からリモートで携帯電話端末装置１０の操作が可能となる。なお、図２では端末装置２０が携帯電話端末装置１０にアクセスするためのアカウントを持っていることを前提としている。端末装置２０とセッションを張った携帯電話端末装置１０は、ユーザデータに対するアクセスを制限するために、現在接続中の端末以外からのリモートアクセスを禁止する（ステップＳ１６）。
【００３７】
端末装置２０からは、携帯電話端末装置１０内部に予め準備されたバックアップ作業用のプログラムを起動する（ステップＳ１７）。バックアップ用プログラムは、(1)サーバ装置３０にアクセスし（ステップＳ１８）、セッションを張る、(2)サーバ装置３０へ送信するユーザデータを圧縮する（ステップＳ２０）、(3)圧縮ファイルをサーバ装置３０へ転送する（ステップＳ２１）、(4)サーバ装置３０とのコネクションの切断を行う（ステップＳ２４）、の４つを実行する。なお、ユーザデータの圧縮は、必ずしも必要とは限らないことはいうまでもない。
【００３８】
一方、携帯電話端末装置１０からの接続要求待ち状態（ステップＳ１２）にあるサーバ装置３０は、ステップＳ１９において携帯電話端末装置１０とセッションを張り、携帯電話端末装置１０から送信される圧縮ファイルを記憶部３５に保存する（ステップＳ２２）。サーバ装置３０は、保存が終了したら携帯電話端末装置１０に通知を行い（ステップＳ２３）、携帯電話端末装置１０でサーバ装置３０とのセッションをクローズする（ステップＳ２４）。端末装置２０にて携帯電話端末装置１０のバックアップ用プログラムの動作終了を確認したら、続いて、携帯電話端末装置１０内にあるユーザデータを削除するため、ユーザデータ削除用のプログラムを起動する（ステップＳ２５）。削除用のプログラムは、ＯＳの削除コマンドを呼び出す形で実行し、書き込み可能なユーザデータ記憶部１４の内部に格納されているユーザデータを削除する（ステップＳ２６）。端末装置２０にて削除処理用プログラムの動作終了を確認したら、携帯電話端末装置１０とのセッションをクローズして（ステップＳ２７）、一連の動作が終了する。
【００３９】
携帯電話端末装置１０は、以上のように動作し、ユーザデータのバックアップ、ユーザデータの削除を実行する。
【００４０】
なお、以上の説明では、端末装置２０からバックアップ機能を駆動する方法について説明したが、携帯電話端末装置１０が定期的に自動でユーザデータを圧縮してサーバ装置３０へ送信を行う仕組みを備えていてもよい。ユーザは、予め自動バックアップを行う頻度（１ヶ月に一回、１週間に一回等）を携帯電話端末装置１０に設定し、携帯電話端末装置１０は、設定頻度に従ってバックアップ用プログラムを自動的に動作させ、その時々の最新のユーザデータ情報をサーバ装置３０へ送信するようにする。このようにすることで、携帯電話端末装置１０を紛失した場所が圏外であり端末装置２０から携帯電話端末装置１０にリモートアクセスできない場合であっても、必ずしも最新のユーザデータとは限らないが、ある程度、新しいユーザデータをサーバ装置３０にバックアップしておくことができる。
【実施例２】
【００４１】
次に、携帯電話端末装置１０の操作ロックについての通信シーケンスを説明する。図３は、本発明の第２の実施例に係る携帯電話端末装置の通信シーケンスを表す図である。図３において、ステップＳ３１、Ｓ３２、Ｓ３３、Ｓ３４、Ｓ３５、Ｓ３８、Ｓ３９は、それぞれ図２におけるステップＳ１１、Ｓ１３、Ｓ１４、Ｓ１５、Ｓ１６、Ｓ２７、Ｓ２４と同等であり、その説明を省略する。
【００４２】
端末装置２０から携帯電話端末装置１０内部に予め準備された操作ロック用のプログラムを起動する（ステップＳ３６）。ステップＳ３７において操作ロック用プログラムは、操作ロック部１５を動作させ入力部１８による携帯電話端末装置１０の操作を不可能とする。携帯電話端末装置１０が操作ロックされることで、携帯電話端末装置１０を紛失した場合等において第三者による不正な使用やユーザデータの閲覧を禁止することができる。
【実施例３】
【００４３】
次に、携帯電話端末装置１０の位置情報取得についての通信シーケンスを説明する。図４は、本発明の第３の実施例に係る携帯電話端末装置の通信シーケンスを表す図である。図４において、ステップＳ４１、Ｓ４２、Ｓ４３、Ｓ４４、Ｓ４５、Ｓ４９、Ｓ５０は、それぞれ図２におけるステップＳ１１、Ｓ１３、Ｓ１４、Ｓ１５、Ｓ１６、Ｓ２７、Ｓ２４と同等であり、その説明を省略する。
【００４４】
端末装置２０から携帯電話端末装置１０内部に予め準備された位置検出用のプログラムを起動する（ステップＳ４６）。位置検出用プログラムは、ＧＰＳ部１６を動作させて携帯電話端末装置１０の位置情報を取得し（ステップＳ４７）、位置情報を端末装置２０に送出する（ステップＳ４８）。端末装置２０は、送られた位置情報を地図等と共に表示して（ステップＳ５１）、携帯電話端末装置１０の所在をある程度特定することができる。また、ある一定の頻度で自動的に指定の端末、例えば端末装置２０に、電子メールにて自己位置を通知するようにもできる。
【実施例４】
【００４５】
次に、携帯電話端末装置１０のカメラによる画像情報取得についての通信シーケンスを説明する。図５は、本発明の第４の実施例に係る携帯電話端末装置の通信シーケンスを表す図である。図４において、ステップＳ６１、Ｓ６２、Ｓ６３、Ｓ６４、Ｓ６５、Ｓ６９、Ｓ７０は、それぞれ図２におけるステップＳ１１、Ｓ１３、Ｓ１４、Ｓ１５、Ｓ１６、Ｓ２７、Ｓ２４と同等であり、その説明を省略する。
【００４６】
端末装置２０から携帯電話端末装置１０内部に予め準備された画像情報取得用のプログラムを起動する（ステップＳ６６）。画像情報取得用プログラムは、カメラ部１７を動作させて携帯電話端末装置１０から外部を撮像し、撮像した画像情報を取得し（ステップＳ６７）、画像情報を端末装置２０に送出する（ステップＳ６８）。端末装置２０は、送られた画像情報を表示することで（ステップＳ７１）、携帯電話端末装置１０の外部の状況をある程度把握することができる。また、ある一定の頻度で自動的に指定の端末、例えば端末装置２０に、電子メールにて画像情報を送出するようにもできる。
【００４７】
以上の実施例で説明したように、携帯電話端末装置１０に高機能なＯＳ１３を搭載し、外部の端末装置２０からリモートログインすることを可能にし、更に所定のプログラムを使用することで端末装置２０から入力するコマンド回数を極力減らして簡単に携帯電話端末装置１０のもつ機能を遠隔から操作することができる。
【００４８】
なお、以上説明した実施例の通信シーケンスは、単独で実行されてもよく、また組み合わされて実行されてもよい。携帯電話端末装置１０を紛失した場合あるいは盗難に遭った場合などにおいて、実施例１の通信シーケンスを実行してユーザデータをバックアップした後に携帯電話端末装置１０に残されるユーザデータを削除し、さらに実施例２の通信シーケンスを実行して携帯電話端末装置１０の操作をロックし、その上で実施例３及び実施例４の通信シーケンスを実行して携帯電話端末装置１０の所在位置の推定情報を取得することができる。このようにシーケンスを組み合わせて携帯電話端末装置１０を遠隔から操作することで、ユーザデータのバックアップ、ユーザデータの削除、端末装置の操作ロック、端末装置の所在位置の推定等がなされ、携帯電話端末装置を紛失したあるいは盗まれてしまった所有者に対し多大な安心感を与えることができる。
【図面の簡単な説明】
【００４９】
【図１】本発明の実施形態に係る通信システムの構成を示すブロック図である。
【図２】本発明の第１の実施例に係る携帯電話端末装置の通信シーケンスを表す図である。
【図３】本発明の第２の実施例に係る携帯電話端末装置の通信シーケンスを表す図である。
【図４】本発明の第３の実施例に係る携帯電話端末装置の通信シーケンスを表す図である。
【図５】本発明の第４の実施例に係る携帯電話端末装置の通信シーケンスを表す図である。
【符号の説明】
【００５０】
１０  携帯電話端末装置
１１  送受信部
１２  制御部
１３  ＯＳ
１４  ユーザデータ記憶部
１５  操作ロック部
１６  ＧＰＳ部
１７  カメラ部
１８  入力部
２０  端末装置
２２  ネットワーク
２４  無線基地局装置
２６  無線回線
３０  サーバ装置
３５  記憶部
【図１】
2005277764.tif 000003
【図２】
2005277764.tif 000004
【図３】
2005277764.tif 000005
【図４】
2005277764.tif 000006
【図５】
2005277764.tif 000007